(57)【要約】【課題】血液循環を促進することができ、且つ空気の流通性も良い座受具を提供しようとする。【解決手段】前後２端縁及び上下２面を有する略サドル形のクッション体からなるものであって、その上面の前端縁近くの略中央箇所に突起部が形成してあるシートユニットと、前記シートユニット内に設けられていて、前記シートユニット外から操作されて前記突起部あたりを振動させる振動ユニットとを備えてなることを特徴とする座受具を提供する。【選択図】図１
2005080741.tif 000002
【特許請求の範囲】
【請求項１】
前後２端縁及び上下２面を有する略サドル形のクッション体からなるものであって、その上面の前端縁近くの略中央箇所に突起部が形成してあるシートユニットと、
前記シートユニット内に設けられていて、前記シートユニット外から操作されて前記突起部あたりを振動させる振動ユニットとを備えてなることを特徴とする座受具。
【請求項２】
前記シートユニットの上面における前記突起部の直後が、前後方向に延びてなる円弧状の窪みとなっていて着座部とされ、該着座部から前記後端縁までが段々高まっていて着座後の臀部を後ろから突っ張って鼠径部を前記突起部に当接させることができることを特徴とする請求項１に記載の座受具。
【請求項３】
前記突起部が円弧状であり、且つ、それ自体及びその両側がそれぞれ前記着座部よりアーク状になるように段々高まってから沈み、前記前端部となったことを特徴とする請求項２に記載の座受具。
【請求項４】
前記シートユニットは、その左右方向上の幅が、前記前端縁近くから前記着座部に至って最小になるように段々縮小し、そして前記着座部から前記後端縁近くに至って最大になるように拡大しており、
前記シートユニットの上面は、その前後方向に延びている中心線において、前記後端縁が前記突起部の頂点より、前記突起部の頂点が前記着座部の底点より、そして前記着座部の底点が前記前端縁より高く、
前記突起部及び前記着座部それぞれの左右方向に延びている上輪郭線は左右両端が下がったアーク線になっていることを特徴とする請求項２に記載の座受具。
【請求項５】
前記着座部と前記後端縁との間の臀部を突っ張る部分が通常の人の臀部の形状に合うようにアーク状に窪んでおり、
前記突起部及び前記着座部の表面は、凹凸状になっていることを特徴とする請求項２に記載の座受具。
【請求項６】
前記シートユニット内に、加熱ユニットが設けられており、
前記振動ユニット及び前記加熱ユニットと電気的に接続していて、前記振動ユニットの振動強度及び時間、並びに前記加熱ユニットの加熱温度及び時間をそれぞれ制御する制御ユニットを更に備えていることを特徴とする請求項１に記載の座受具。
【発明の詳細な説明】
【技術分野】
【０００１】
本発明は、広くは座布団等の座受具に関し、特に床板や椅子上に置いて座る座受具に関する。
【背景技術】
【０００２】
通常、長時間に椅子に座る必要がある会社員や運転手または床板に胡座をかいて修行する人にとって、椅子や床板の上面 に円形または方形の座布団やマットを敷くのは、坐り心地がよく快適であるので好ましい。しかしながら、こういう座布団やマットがあっても、長時間に亙って坐ると、臀部及び大腿がずっと圧迫され、血液循環が悪くなるので、足が痺れて気分が段々悪くなり、それに、腹部と両脚との境目、一般に鼠径部といわれる部位には、空気がよく流通しないので、汗をかいたり湿気を生じたりして痒くて痒くて堪らないという気持ちで気分を一層いらいらさせる、という経験を有する人が少なくない。特に、「気功」の修行者有志には、前記欠点を解消する必要があるばかりでなく、「気」（血行と言っても良い）の運行を更によくさせる座布団やマットがあればいいな、という願望を持っている人も少なくない。
【発明の開示】
【発明が解決しようとする課題】
【０００３】
上記に鑑みて、本発明の第１の目的は、血液循環や血行を促進することができる座受具を提供しようとすることにある。
本発明の第２の目的は、鼠径部の周りの空気の流通性を増加することができる座受具を提供しようとすることにある。
本発明の第３の目的は、形状設計が人体工学に合っている座受具を提供しようとすることにある。
【課題を解決するための手段】
【０００４】
前記目的を達成するために、発明者は、前後２端縁及び上下２面を有する略サドル形のクッション体からなるものであって、その上面の前端縁近くの略中央箇所に突起部が形成してあるシートユニットと、前記シートユニット内に設けられていて、前記シートユニット外から操作されて前記突起部あたりを振動させる振動ユニットとを備えてなることを特徴とする座受具を提供する。
【０００５】
この構成による座受具では、前記突起部と前記振動ユニットが設けられているので、鼠径部を前記突起部に当接させて坐る場合、両足を前へ伸ばして正座しても、両足を横に広げて前へ組み、前記突起を囲んで胡座をかいても、臀部乃至大腿，小腿、特に鼠径部が振動させられてマッサージされ、下半身の血液循環や血行を促進することができるのみならず、振動により前記鼠径部の周りの空気を流通させることができるので、鼠径部ないし下半身の他の部位を乾燥状態に保持することもできる。
そして、前記シートユニットの上面における前記突起部の直後が、前後方向に延びてなる円弧状の窪みとなっていて着座部とされ、該着座部から前記後端縁までが段々高まっていて着座後の臀部を後から突っ張って鼠径部を前記突起部に当接させることができることが好ましい。
それにより、臀部全体が均一にサポートされて安定に坐ることができるのみならず、坐りの姿勢に拘わらず鼠径部が自ずと前記突起部と当接するので、上記効果がよく確保される。
前記突起部が円弧状であるのが好ましい。もし、この座受具がオフィス等の椅子用のものであれば、前記突起それ自体及びその両側がそれぞれ前記着座部よりアーク状になるように段々高まってから沈み、前記前端部となることが好ましい。
また、前記シートユニットは、その左右方向の幅が、前記前端縁近くから前記着座部に至って最小になるように段々縮小し、そして前記着座部から前記後端縁近くに至って最大になるように拡大したことが好ましい。
また、前記シートユニットの上面は、その前後方向に延びている中心線において、前記後端縁が前記突起部の頂点より、前記突起部の頂点が前記着座部の底点より、そして前記着座部の底点が前記前端縁より高いことが好ましい。
また、前記突起部及び前記着座部それぞれの左右方向に延びている上輪郭線は左右両端が下がったアーク線になっていることが好ましい。
また、前記着座部と前記後端縁との間の臀部を突っ張る部分が通常の人の臀部の形状に合うようにアーク状に窪んでいることが好ましい。
前記構成による座受具は、人体工学にかなった形状を有するので、着座時に臀部及び大腿に圧迫感を与えなく、かなり快適である。
そして、前記突起部及び前記着座部の表面は、凹凸状になっていることが好ましい。それにより、臀部当たりの通気性が更に高められるので、蒸れにくくて快適である。
そして、前記シートユニット内に加熱ユニットが設けられていることが好ましい。該加熱ユニットは、必要に応じて前記振動ユニットの上方や前記着座部から前記後端縁までの部分内に設けることができる。それにより、血液循環及び代謝をもっと促進させることができると共に、加熱により温もって快適感をもたらすことができる。
そして、前記振動ユニット及び前記加熱ユニットと電気的に接続していて、前記振動ユニットの振動強度及び時間、並びに前記加熱ユニットの加熱温度及び時間をそれぞれ制御する制御ユニットを更に備えていることが好ましい。それにより、必要に応じて前記振動ユニットの振動強度及び時間、並びに前記加熱ユニットの加熱温度及び時間を自由に制御することができる。
【発明の効果】
【０００６】
本発明の座受具は、形状の設計が人体工学に合っている上、突起部、振動ユニット及び加熱ユニットが設けられているので、鼠径部、大腿乃至臀部をマッサージして血液循環及び代謝を促進することができる。
【発明を実施するための形態】
【０００７】
以下、オフィスや他の椅子用のものを例として本発明の好ましい実施形態を詳しく説明する。
図１は、本発明の座受具の好ましい実施形態を示す斜視図である。図２は、前記実施形態の平面図である。図１及び図２に示すように、この座受具は、主としてシートユニット３と、振動ユニット４と、複数の加熱ユニット５１，５２と、制御ユニット６とからなっている。
より詳しく説明すると、前記シートユニット３は、前後２端縁３１，３２及び上下２面３３，３４を有する略サドル形のクッション体からなる。前記クッション体は、人体工学に合っている形状を有する。本実施形態において、前記クッション体として、発泡体からなったものが使用されている。
以下、図１及び図２を参照しながら、まず前記シートユニット３の外形を説明する。
前記シートユニット３の上面３３の前端縁３１近くの略中央箇所には、突起部３５が形成してある。前記突起部３５の直後は、前後方向に延びてなる円弧状の窪みとなっていて着座部３６とされている。該着座部３６から前記後端縁３２までの部分は、段々高まっていて、着座後の臀部を後ろから突っ張って鼠径部を前記突起部３５に当接させることができる。
また、前記突起部３５は、円弧状であり、且つ、それ自体及びその両側がそれぞれ前記着座部３６よりアーク状になるように段々高まってから沈み、前記前端部３１となっている。もちろん、この形状はオフィスや家庭で使う椅子の通常のものに適用するための設計であるが、胡座をかいて修行などをするためのものであれば、前記突起部３５を少々縮小させた方が良い。そして、前記シートユニット３は、その左右方向の幅が、前記前端縁３１近くから前記着座部３６に至って最小になるように段々縮小し、そして前記着座部３６から前記後端縁３２近くに至って最大になるように拡大している。
なお、前記シートユニット３の上面３３は、その前後方向に延びている中心線において、前記後端縁３２が前記突起部３５の頂点より、前記突起部３５の頂点が前記着座部３６の底点より、そして前記着座部３６の底点が前記前端縁３１より高い。前記突起部３５及び前記着座部３６それぞれの左右方向に延びている（上）輪郭線は、左右両端が下がったアーク線になっている。
そして、前記着座部３６と前記後端縁３２との間の臀部を突っ張る部分が通常の人の臀部の形状に合うようにアーク状に窪んでいる。
そして、通気性を増加させるために、前記突起部３５及び前記着座部３６の表面は、凹凸状になっている。
また、各部分に必要な支持力が違うことを考量し、前記シートユニット３を製造する時、前記突起部３５及び前記着座部３６に他の部分と異なる密度の発泡体を使用している。
そして、前記振動ユニット４は、前記シートユニット３内の前記突起部３５及び前記着座部３６の下方に設けられていて、前記制御ユニット６により前記シートユニット３外から操作されて前記突起部３５あたりを振動させることができる。
前記複数の加熱ユニット５１，５２は、前記シートユニット３内に設けられている。本実施形態において、該加熱ユニット５１，５２は、二つあり、それぞれ前記シートユニット３内の前記振動ユニット４の上方及び前記着座部３６から前記後端縁３２までの部分内に設けられている。
前記制御ユニット６は、電線６１により前記振動ユニット４及び前記複数の加熱ユニット５１，５２と電気的に接続している。それにより、プラグ６２で電源と繋げた後、制御器６３により前記振動ユニット４の振動強度及び時間、並びに前記加熱ユニット５１，５２の加熱温度及び時間をそれぞれ制御することができる。
前記座受具を使用しようとする場合、図３及び図４（本発明の構成を明らかに示すために、図３及び図４において左足を省略して右足のみを描く）に示すように、前記座受具を椅子上に置いた後、臀部を前記シートユニット３の前記着座部３６に置くように座る。この時、前記着座部３６から前記後端縁３２までの部分が段々高まっているので、着座後の臀部が後ろから突っ張られて（押されて）鼠径部を前記突起部３５と自然に当接させることができる。また、両足は、それぞれ前記突起部３５の左右両側３７，３７に置くことができる。
それにより、前記制御ユニット６により前記振動ユニット４及び前記加熱ユニット５１，５２を作動させた後、仕事中や運転中に、鼠径部、大腿乃至臀部をマッサージして下半身の血液循環及び代謝を促進することができる。また、凹凸の設計及び前記振動ユニットの振動により前記鼠径部及び臀部のあたりの空気の流通を促進することができるので、鼠径部を乾燥状態に保持することができる。尚、本発明の座受具は座具もしくは着座器具・装置と称されることもあるであろう。
【産業上の利用可能性】
【０００８】
本発明の座受具を使用すれば、人体工学に適って臀部全体を均一にサポートすることができる上、鼠径部に突っ張って腿などと共に振動させる効果及び下半身を温める効果を有するので、血行を促進し、長時間に座っても、圧迫感がなく、快適である。
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【０００９】
【図１】本発明の座受具の好ましい実施形態の斜視図である。
【図２】前記実施形態の平面図である。
【図３】前記実施形態の使用状態の側面図である。
【図４】図３の一部拡大図である。
【符号の説明】
【００１０】
３           シートユニット
３１，３２   前後２端縁
３３，３４   上下２面
３５         突起部
３６         着座部
３７         突起部の両側
４           振動ユニット
５１，５２   加熱ユニット
６           制御ユニット
６１         電線
６２         プラグ
６３         制御器
【図１】
2005080741.tif 000003
【図２】
2005080741.tif 000004
【図３】
2005080741.tif 000005
【図４】
2005080741.tif 000006